(57)【要約】【課題】  水分の多い可燃物などはその儘では燃えないから乾燥するが、乾燥の際生じた水蒸気を棄てると乾燥に必要な熱量の大半が棄てられるので、水蒸気の潜熱を回収しなければならない。また、多水分可燃物に臭気があると脱臭器が必要であるが、高温に加熱・分解させる脱臭法では脱臭の後にもう 1度凝縮器が必要である。 【解決の手段】  そこで乾燥器からの水蒸気をボイラで臭気成分の分解に必要な温度まで乾燥した可燃物の燃焼ガス中に吹込んで加熱する。燃焼温度を高めるためボイラに空気予熱器を設ける。水蒸気の固形物がボイラに入らないように固体分離器を設ける。またボイラに燃焼ガスの水分を除去する凝縮器を設け、これにより乾燥器からの水蒸気の潜熱を回収する。 【選択図】  図１
2009150614.tif 000002
【特許請求の範囲】
【請求項１】
乾燥の際発生する水蒸気の臭気を除くため、乾燥可燃物を燃焼させるボイラの燃焼室にこの水蒸気を吹込み、これを脱臭に必要な高温に加熱するボイラとこのボイラの燃焼ガスの水分を凝縮させる凝縮器からなる多水分可燃物の乾燥および燃焼方法  
【請求項２】
請求項１の多水分可燃物の乾燥および燃焼方法においてボイラに燃焼ガスによって燃焼用空気を予熱する空気予熱器を設け、ボイラの燃焼室における燃焼温度を高めることを特徴とする多水分可燃物の乾燥および燃焼方法
【請求項３】
請求項１および請求項２の多水分可燃物の乾燥および燃焼方法において乾燥器の水蒸気を固形物分離器に入れ、固形物を分離した水蒸気のみをボイラの燃焼室に吹込むようにした多水分可燃物の乾燥および燃焼方法
【発明の詳細な説明】
【技術分野】
【０００１】
本発明は水分の多い可燃物などの乾燥に際し生じる水蒸気の臭気を除く方法と乾燥の際に生じる水蒸気の潜熱回収法に関するものである。
【背景技術】
【０００２】
水分の多い可燃物などの乾燥と脱臭に対しては「特開２００２−３１０５６０号公報：固液混合物の乾燥方法及び装置」がある。これは、固液混合物の液を気化する気化器とこの気体を加圧する圧縮機および蒸気エジェクタを有し、加圧された気体を気化器に帰して液の気化を行い、これによって気体を凝縮させ、その潜熱を回収し、凝縮水を脱臭器に入れるものである。この方法は蒸気再圧縮（Vapor Recompression  VRC）法と呼ばれる。  
【特許文献１】特開２００２−３１０５６０号公報
【０００３】
この方法は、圧縮機および蒸気エジェクタの効率が低いため気体の圧力を高くできないので、気化器における固液混合物と加熱用気体の温度差が小さく、気化器の伝熱面積が大きくなる欠点がある。またこの特許公開では脱臭器の具体的な説明がなく、どのような脱臭器を用いるのか明かでない。
【０００４】
臭気成分は 800℃以上に加熱されると完全に分解・脱臭されるので、この方法が完全かつ簡単であるが、特許公開ではこれに関する記述がないのである。更にこの脱臭法では気化器から出る凝縮液は再び気化されるが、これを再び凝縮しなければ気体の潜熱を回収することはできないが、これに関する記述もないのである。
【発明の開示】
【発明が解決しようとする課題】
【０００５】
本発明はこの欠点を除く方法を提供するものである。臭気をなくすにはどうすればよいか、また脱臭器から出る水蒸気の潜熱をどのように回収するか、を考えるのが本発明の課題である。
【課題を解決するための手段】
【０００６】
臭気をなくすには臭気を有する水蒸気などを 800℃以上の高温にする。この高温は乾燥した可燃物などの燃焼によって造る。臭気を有する水蒸気はこの高温域に吹込む。
【０００７】
即ち、本発明では乾燥した可燃物を蒸気ボイラの燃焼室で燃焼させ、生じた高温の燃焼ガスに水蒸気を吹込み 800℃以上の高温に加熱する。
【０００８】
乾燥器で発生した水蒸気は臭気の他、多水分可燃物の粉塵などの固形物も含むが、これは排水の輸送管と吹込み装置・ボイラの燃焼室に汚れや閉塞を生じる。これを防ぐため水蒸気がボイラに輸送・吹込みの前に固体分離器に入れ、固体を分離する。
【０００９】
水分が多く、可燃物の発熱量が少ない場合は燃焼が困難になるか、燃焼ガスの温度が低くなり、脱臭が困難または不可能になるから、燃焼ガスの温度を高めるためボイラに燃焼ガスによって加熱される空気予熱器を設け、この予熱空気を燃焼に用いて燃焼温度を高め、これによって燃焼ガス温度を高める。
【００１０】
燃焼ガスはボイラの接触伝熱面でその熱を回収され、蒸気または温水を造る。燃焼ガス中の水分を凝縮器を用いて凝縮すると、乾燥の際発生した水蒸気の潜熱がここで回収されるのである。
【発明の効果】
【００１１】
「特許公開２００２−３１０５６０  固液混合物の乾燥方法及び装置」では多水分可燃物などの乾燥は乾燥に際し生じた水蒸気の昇圧による飽和温度の上昇によって行われ、これによって水蒸気の潜熱が回収されるが、この圧縮に用いられる圧縮機や蒸気エジェクタの効率が低いので、高圧にできないから飽和温度が低く、被加熱物との温度差が小さいため、乾燥器の伝熱面積が過大になる。
【００１２】
また脱臭器の説明がないのでどのような型式のものが用いられるか不明であるが、もし臭気成分を 800℃以上に加熱する方法を用いると、その排ガスに含まれる水蒸気の潜熱を回収する凝縮器がないと、乾燥器で用いられたVRC法が無駄になってしまう。 
【００１３】
本発明では乾燥した可燃物を燃焼させたボイラの燃焼ガスに乾燥器で発生した水蒸気を吹込み脱臭に必要な温度以上に加熱する。これによって乾燥器で発生した水蒸気および可燃物に含まれる臭気は分解されてなくなる。脱臭された燃焼ガスはボイラで熱回収されるが、凝縮器を設ければ燃焼ガス中の水蒸気、したがって乾燥器で発生した水蒸気の潜熱も回収される。
【００１４】
乾燥器で発生した水蒸気には多水分可燃物の粉塵などの固形物が混在するが、この排水を輸送・吹込むと粉塵などが配管・吹込み装置・ボイラの燃焼室などに付着してトラブルを惹起するので、水蒸気をボイラに送る前に固体分離器を設け粉塵などを取除く。
【００１５】
水分が多く、可燃物の発熱量が小さい場合はボイラに空気予熱器を設け、予熱空気を可燃物の燃焼に用いれば燃焼温度従って燃焼ガス温度が高くなり、脱臭が可能になる。
【００１６】
このように本発明によって乾燥器で発生する水蒸気および可燃物から生じる水蒸気の臭気をボイラの燃焼室に吹込み、高温に加熱することによって分解することができる。また、多水分可燃物の乾燥に VRC法、したがって効率が低く、複雑な装置である圧縮機や蒸気エジェクタ、を用いずに、乾燥器で発生する水蒸気の潜熱をボイラに設けた燃焼ガスの水分凝縮器によって回収することができる。
【発明を実施するための最良の形態】
【００１７】
水分の多い可燃物が臭気を持つと、VRCによっても脱臭器が必要である。乾燥器から発生する水蒸気の臭気を 800℃以上に加熱して分解する方法を用いると、脱臭器から出る水蒸気は再び凝縮しなければならず、VRC法が無駄になる。
【００１８】
そこで本発明では乾燥器から発生する水蒸気を脱臭に必要な温度以上に加熱するが、最良の形態としては、この水蒸気を乾燥した可燃物を燃焼させるボイラの燃焼ガス中に吹出す。また、乾燥器から出る水蒸気の潜熱はボイラの燃焼ガスの水分を凝縮させる凝縮器によって回収する。
【００１９】
水蒸気には多水分可燃物の粉塵などの固形物が混在するが、水蒸気をボイラに送る前に固体分離器に通し、固形物を取除く。
【００２０】
また、水分が多く、可燃物の発熱量が小さい場合には、ボイラに空気予熱器を設け、ここで得た予熱空気を燃焼に用い、燃焼温度従って燃焼ガス温度を高くする。
【実施例】
【００２１】
図 1は低位発熱量（水分 20％）16.9ＭＪの可燃物が水分 80％で乾燥器に1000kg/h入る場合の本発明の乾燥・燃焼システム（構成機器・物流・熱流）の実施例を示す。
図１の１は蒸気ボイラで、ここで水分 20％に乾燥した可燃物などを図示しない空気予熱器からの予熱空気によって燃焼させ、生じた燃焼ガス中に乾燥器からの水蒸気を吹込んで加熱・脱臭するが、燃焼ガスの水分は凝縮器によって冷却・凝縮され、70℃の水となってボイラから出、これによって蒸気を得る。蒸気の 1部は２の乾燥器に送られ残りは需要を賄う。３の固体分離器はこれによって乾燥器からの水蒸気中の固体を除く。 図には各部・各系統の熱量も図示している。
【産業上の利用可能性】
【００２２】
水分の多い可燃物などは乾燥しなければ燃焼させることはできない。乾燥の際多量の水蒸気が発生するが従来はこの水蒸気は棄てられていた。しかしこの水蒸気には潜熱が含まれるので乾燥に必要な熱量の大半（上の例では 82％）の熱量が棄てられることになる。そこで、この熱量を回収するため、水蒸気を加圧し、飽和温度を高めて被加熱物の温度との差を造り、これにより被加熱物を加熱することによって水蒸気を凝縮させ、その潜熱を回収する方法（VRC法）が開発された。
【００２３】
しかし、この方法でも多水分加熱物に臭気成分が含まれると脱臭器が必要である。この脱臭に臭気成分を 800℃以上に加熱・分解する方法を採用する場合には脱臭器の後に水分の凝縮器を設けなければならず、凝縮は乾燥器と凝縮器の双方で行われ 2重になる。本発明では乾燥の際発生する水蒸気を乾燥した可燃物などを燃焼するボイラの燃焼ガスの中に吹込み、加熱・脱臭する。これにより凝縮は 1回だけになる。
【００２４】
水分が多く、可燃物の発熱量が小さい場合には予熱空気を燃焼に用い、燃焼温度・燃焼ガス温度を高くする。凝縮器を設けると燃焼ガス中の水蒸気の潜熱を回収することができる。
【００２５】
乾燥の際生じる水蒸気には多水分可燃物の粉塵などの固形物が混在するが、水蒸気をボイラに送る前に固体分離器を設け、固形物を取除く。  
【図面の簡単な説明】
【００２６】
【図１】図 1は本発明の 1実施例である。
【符号の説明】
【００２７】
１  蒸気ボイラ
２  乾燥器
３  固体分離器
【図１】
2009150614.tif 000003